【事件の表示】
　特願２００１−３２４４７０「インクジェット記録装置」拒絶査定不服審判事件〔平成１５年　５月　８日出願公開、特開２００３−１２７４１５〕について、次のとおり審決する。
【結　論】
　本件審判の請求は、成り立たない。
【理　由】
第１　手続の経緯
　本願は、平成１３年１０月２３日の出願であって、同年１０月２５日及び平成１８年１０月１２日に手続補正がなされ、平成１９年４月３日付けで拒絶査定がなされ、これに対して、同年５月１１日に拒絶査定不服審判が請求されるとともに、同年６月１１日に手続補正がなされたものである。
　
第２　平成１９年６月１１日付け手続補正についての補正却下の決定
　
〔補正却下の決定の結論〕
　平成１９年６月１１日付け手続補正を却下する。
　
〔理由〕
１　本件補正の内容・目的
（１）補正の内容
　ア　平成１９年６月１１日付け手続補正（以下「本件補正」という。）は、明細書全文についてするもので、特許請求の範囲については、補正前に、
「【請求項１】
　被記録媒体の搬送方向と交差する方向に移動自在な走査キャリッジに対して記録ヘッド部を着脱可能に搭載し、前記走査キャリッジ外のインク供給源から供給管を介して前記記録ヘッド部にインクを供給するように構成してなるインクジェット記録装置において、
　前記走査キャリッジには、前記供給管に接続するジョイント部材を設け、
　前記記録ヘッド部にはそのインク吐出側とは反対側に、その記録ヘッド部へインクを供給する容器筺を設け、
　前記走査キャリッジと記録ヘッド部とを、前記被記録媒体に対する記録ヘッド部のノズルからのインクの吐出方向と交差する方向に沿って接離可能に構成すると共に、前記接離方向に沿って前記容器筺におけるインク導入口と前記ジョイント部材のインク吐出口とを接離可能に接続し、
　前記容器筺の前記記録ヘッド部とは反対側に、前記記録ヘッド部と接続される印刷回路基板を設け、その印刷回路基板には、前記走査キャリッジ外から指令及び画像データを伝送するケーブルを着脱可能に接続したことを特徴とするインクジェット記録装置。
【請求項２】
　
前記走査キャリッジには、前記記録ヘッド部をそのノズルの配置面と略平行の方向に前記ジョイント部材に接近案内するための一対の支持部を備え
【請求項３】
　
前記走査キャリッジと前記記録ヘッド部は、弾力的付勢力をもって、前記容器筺におけるインク導入口と前記ジョイント部材のインク吐出口とを密接できるように係合手段により固定した
【請求項４】
　前記記録ヘッド部はカラー用の複数色のインクに各々対応するノズル列を有し、前記容器筺は、複数の前記インク導入口を有し、前記ジョイント部材は、各色毎のインク流通路及び前記インク吐出口を備えたことを特徴とする請求項１乃至請求項３のいずれかに記載のインクジェット記録装置。
【請求項５】
　前記記録ヘッド部のノズルの配置面と反対側に、前記インク導入口と前記ジョイント部材とが位置し、
　該配置面とほぼ平行に前記インク導入口と前記インク吐出口とが連結されていることを特徴とする請求項１乃至請求項４のいずれかに記載のインクジェット記録装置。
【請求項６】
　
前記記録ヘッド部、容器筺及び印刷回路基板は、１つの筐体に設け
　
「【請求項１】
　被記録媒体の搬送方向と交差する方向に移動自在な走査キャリッジに対して記録ヘッド部を着脱可能に搭載し、前記走査キャリッジ外のインク供給源から供給管を介して前記記録ヘッド部にインクを供給するように構成してなるインクジェット記録装置において、
　前記走査キャリッジには、前記供給管に接続するジョイント部材を設け、
　前記記録ヘッド部にはそのインク吐出側とは反対側に、その記録ヘッド部へインクを供給する容器筐を設け、
　前記走査キャリッジと記録ヘッド部とを、前記被記録媒体に対する記録ヘッド部のノズルからのインクの吐出方向と交差する方向に沿って接離可能に構成すると共に、前記接離方向に沿って前記容器筐におけるインク導入口と前記ジョイント部材のインク吐出口とを接離可能に接続し、
　前記容器筐の前記記録ヘッド部とは反対側に、前記記録ヘッド部と接続される印刷回路基板を設け、その印刷回路基板には、前記走査キャリッジ外から指令及び画像データを伝送するケーブルを着脱可能に接続し、
　
前記記録ヘッド部、容器筐及び印刷回路基板を、１つの筐体に設け
　
前記走査キャリッジには、前記筐体をそのノズルの配置面と略平行の方向に前記ジョイント部材に接近案内するための一対の支持部を備え
　
前記筐体を前記走査キャリッジに、弾力的付勢力をもって、前記容器筐におけるインク導入口と前記ジョイント部材のインク吐出口とを密接できるように係合手段により固定した
【請求項２】
　前記記録ヘッド部はカラー用の複数色のインクに各々対応するノズル列を有し、前記容器筐は、複数の前記インク導入口を有し、前記ジョイント部材は、各色毎のインク流通路及び前記インク吐出口を備えたことを特徴とする請求項１に記載のインクジェット記録装置。
【請求項３】
　前記記録ヘッド部のノズルの配置面と反対側に、前記インク導入口と前記ジョイント部材とが位置し、
　該配置面とほぼ平行に前記インク導入口と前記インク吐出口とが連結されていることを特徴とする請求項１または２に記載のインクジェット記録装置。
【請求項４】
　前記筐体が前記走査キャリッジにおける左右両側の支持枠に、前記記録ヘッド部のノズルの配置面と略平行の方向に装着されていることを特徴とする請求項１乃至請求項３のいずれかに記載のインクジェット記録装置。」に補正するものである。（下線は審決で付した。以下同じ。）
　
　イ　本件補正後の請求項１に係る上記補正は、
（ア）本件補正前の請求項３に係る発明（請求項２を引用するもの）を特定するために必要な事項である「記録ヘッド部」が「容器筐及び印刷回路基板」とともに「１つの筐体」に設けられているとの限定を付加し、これに伴い「容器筺」を「容器筐」にして字体を統一し、
（イ）同じく本件補正前の請求項３に係る発明（請求項２を引用するもの）を特定するために必要な事項である「記録ヘッド部をジョイント部材に近接案内する」ことについて、ジョイント部材に近接案内するのは、記録ヘッド部が設けられている前記「１つの筐体」であると限定し、
（ウ）同じく本件補正前の請求項３に係る発明（請求項２を引用するもの）を特定するために必要な事項である「走査キャリッジと記録ヘッド部は、固定した」ことについて、「走査キャリッジに、固定した」と限定するとともに、固定する対象が、記録ヘッド部が設けられている前記「１つの筐体」であると限定し、
（エ）引用形式で記載されていたものを独立形式で記載して本件補正後の請求項１とするものである。
　
（２）補正の目的
　上記（１）イのとおり、本件補正後の請求項１に係る補正は、本件補正前の請求項３に係る発明を特定するために必要な事項を限定するものであるから、平成１８年法律第５５号改正附則第３条第１項によりなお従前の例によるとされる同法による改正前の特許法（以下「旧特許法」という。）第１７条の２第４項第２号の特許請求の範囲の減縮を目的とするものである。
　
　そこで、本件補正後の請求項１に係る発明（以下「本願補正発明」という。）が特許出願の際独立して特許を受けることができるものであるか（旧特許法第１７条の２第５項において準用する同法第１２６条第５項の規定に適合するか）について以下に検討する。 
　
２　刊行物の記載事項
（１）原査定の拒絶の理由に引用された本願の出願前に頒布された刊行物である特開平４−１４１４４４号公報（以下「引用例」という。）には、図とともに次の事項が記載されている。
　
　ア　「〔実施例〕
　以下、図面を参照して本発明の実施例を詳細に説明する。
　第１図は本発明の一実施例にかかる
インクジェット記録装置
　２００３は同様に装置ケースの一部をなす中ケースであり、主に記録時に記録ヘッドが移動する部分を覆う。中ケース２００３は簡易に脱着できるよう設けられ、また、その一部には後述の排紙ローラに対応して設けられる拍車が取付けられており、中ケース２００３の装着によりこの拍車は適切な押圧力をもって排紙ローラに圧接する。２００５は装置ケースの一部をなし開閉自在に設けられる給紙蓋である。給紙蓋２００５は、その略矩形の形状における図中手前側の辺の両端が軸支され、これを回動軸として図中上方側へ開けられ所定の角度で保持されるように設けられる。
給紙蓋２００５は
記録紙を載置することが可能
　
２００９は装置に対して着脱自在に装着される排紙トレイである。排紙トレイ２００９は装置後部に所定の角度を有して装着され記録を終了した記録紙を順次積層することができる
　
　イ　「第２図（Ａ）および（Ｂ）は本発明の一実施例にかかるインクジェット記録装置を第１図に示した装置カバーを除いて示す側方断面図および上面図である。なお、第２図（Ｂ）は記録ヘッドとこれを載置して移動するためのキャリッジ、およびこれらの移動のための駆動系が省かれた状態を示す。
　第２図（Ａ）および（Ｂ）において、６０１は給紙トレイであり、第１図に示した給紙蓋２００５が開けられた状態（第２図（Ａ）および（Ｂ）には図示されない）でこれとともに給紙部を構成する。給紙トレイ６０１は、その給紙方向における後端部に設けた回動軸６０１Ａが、装置フレームをなす側板２０１７によって回動自在に軸支され、また、給紙トレイ６０１の前端はばね６０２によって第２図（Ａ）中上方に付勢されている。これら構成により、給紙トレイ６０１上に積層される記録紙（第２図（Ａ）および（Ｂ）には図示されない。また、以下において、記録紙はプラスチックシート等を含み、広く被記録媒体を意味する）はその先端をピックアップローラ６０４に押圧される。なお、上述した給紙機構において、第２図（Ｂ）に示される６０１Ｃは記録紙のサイズに応じて給紙を案内するためのガイド板であり、６０１Ｄはガイド板６０１Ｃが記録紙のサイズに応じて移動するための溝である。
　ピックアップローラ６０４は、半月ローラ６０４Ａおよびアイドラローラ６０４Ｂという１対のローラからなり、半月ローラ６０４Ａは第２図（Ａ）に示されるようにその横断面が円の一部を切欠いた形状を有し、アイドラローラ６０４Ｂは、その横断面が半月ローラ６０４Ａの円周部分の径よりわずかに小さな径の円形状を有する。これら１対のローラからなるピックアップローラ６０４は給紙トレイ６０１の前端近傍に所定の間隔をおいて２対設けられ、これら２対のピックアップローラ６０４は、記録紙が給紙される方向と垂直な方向に延在するピックアップローラ軸６０４Ｃに固定される。ピックアップローラ軸６０４Ｃの一端はフレーム２０１７の一部に回動自在に支持され、他端はクラッチ６１９と接続する。これにより、不図示のモータの駆動力はクラッチ６１９を介してピックアップローラ軸６０４Ｃに伝達され、ピックアップローラ６０４を回転させることができる。
　給紙トレイ６０１上に積層される記録紙は、上述のようにピックアップローラ６０４に押圧されているため、ピックアップローラ６０４が回転すると、記録紙はまず、半月ローラ６０４Ａの切欠き部と円周部の連結部である肩の部分によって押し出され、さらにピックアップローラ６０４Ａと、第１２図にて詳述される分離板６０５との協働によって記録紙搬送路へ送り出される。
　６０６は、記録紙搬送路上ピックアップローラ６０４の後流側に配設される紙送りローラである。紙送りローラ６０６は、第２図（Ｂ）に示されるように、搬送される記録紙の幅方向において所定の間隔を有して４個配設され、これら４個の紙送りローラは紙送りローラ軸６０６Ａ（第２図（Ｂ）には図示されない）に固定されている。これにより、不図示の紙送りモータの駆動力が紙送りローラ軸６０６Ａに伝達され、紙送りモータ６０６を回転させることができる。
　６０７は紙送りローラ６０６のそれぞれに対応して設けられるピンチローラであり、その円周面を紙送りローラ６０６の円周面に当接するように配設される。６１１はピンチローラ６０７のそれぞれに対応して設けられるピンチローラホルダであり、その一方の端部でピンチローラ６０７を回動可能に軸支する。
６１３はキャリッジレールであり、後述されるキャリッジの移動領域にわたって延在するように設けられる
　６０８は記録紙の記録面を規制するためのプラテンであり、記録紙搬送路上において紙送りローラ６０６等の下流側であって後述の記録ヘッドに対向する部位に配設される。さらに、プラテン６０８の後流側には、排紙ローラ６０９が設けられる。排紙ローラ６０９は第２図（Ｂ）に示すように、搬送される記録紙の幅方向に所定間隔を有して９個配設され、これらは排紙ローラ軸６０９Ａに固定される。排紙ローラ軸６０９Ａは不図示のモータによって回転し、第１図に示したメインケース２００１によって保持される拍車との協働によって第１図に示した排紙トレイ２００９へ記録紙を排紙する。
　以上説明した記録紙搬送路において、給紙トレイ６０１上に積層される記録紙はピックアップローラ６０４と分離板６０５とによって一枚づつ分離されて搬送路へ給紙され、この給紙される記録紙は紙ガイド６０８Ａによって案内されながら紙送りローラ６０６とピンチローラ６０７との間に搬送される。この搬送の間に、記録紙は、紙端部検出センサレバー６１５の一端に接触し、これによるレバー６１５の他端の動作が紙端部フォトセンサ６１７による検出状態を変化させることにより、記録紙の端部を検出することができる。また、後述のキャリッジの下部には反射型の紙幅センサ６２３が設けられており、これによって搬送される記録紙の紙幅を検出することができる。
　紙送りローラ６０６は、記録ヘッドによる記録動作に応じてプラテン６０８上へ、例えば、
記録ヘッドによる記録の１ライン分づつ記録紙を搬送し、これによって記録紙上に文字、画像等の記録がなされる
　以上示した
給紙トレイ６０１から排紙ローラ６０９、さらに
排紙トレイ２００９に至る記録紙搬送
記録紙の腰によって記録紙がプラテン６０８に密着する
　第２図（Ａ）において、
１は記録ヘッド部であり、
記録ヘッドチップを具える
ヘッドチップは容易に着脱できるようキャリッジ部２００のキャリッジ本体２０１に装着される
２０３はキャリッジカバーであり、
２０５はヘッドカバーである
これらカバーがキャリッジ本体２０１に装着されることによって、上記記録ヘッドチップへの電気的接続および
固定
がなされる
３００はキャリッジ本体２０１
に取付けられるサブインクタンク
記録ヘッド部１以下、キャリッジ本体２０１に搭載される各要素
　また、第２図（Ａ）において、２１１は操作者が手動によってその位置を変えることができるポジションレバーであり、その一方の端部がキャリッジ本体２０１の一部に設けられた軸２１１Ｃによって回動自在に軸支される。また、ポジションレバー２１１の他方の端部には半球状の凸部２１１Ｂが設けられ、これがキャリッジ部２００の側板（不図示）の３個所に形成された凹部と係合することにより、ポジションレバー２１１は３つの位置で固定され得る。ポジションレバー２１１が第２図（Ａ）に示される位置ＩおよびIIの位置にあるとき、キャリッジ本体２０１、すなわち、これに搭載される記録ヘッドチップは、これら位置のそれぞれに応じてガイド軸２１３を回動軸として変位し、ポジションレバー２１１とキャリッジレール６１３との当接に応じた位置をとる。すなわち、第２図（Ａ）に示すポジションレバー２１１の位置Ｉでは、第３図にて詳細に示されるように
キャリッジ本体２０１の一部がキャリッジレール６１３の上面とこの上を摺動可能に当接する
　以上示したポジションレバーの構成において、例えば比較的インク吸収特性の劣る記録紙を用いる場合は、レバー２１１を位置IIとすることによって記録ヘッドチップをプラテン６０８から比較的大きく離間させる。なぜなら前述の場合、記録によるインクによって記録紙が波打つ等の現象を生じ、これにより、例えば記録紙が記録ヘッドチップの吐出口面等を擦りこれを損傷するといった問題が発生することがあるが、レバー２１１を位置IIとすることにより、この問題の発生を防止することができるからである。また、比較的インク吸収特性に優れた記録紙を用いる場合にはこのような考慮を必要とせず、ポジションレバー２１１を位置Ｉとすればよい。
　また、ポジションレバー２１１の位置IIIは、キャリッジ部２００がホームポジションにあるときキャリッジ部２００が右方向へ移動するのを防止するための位置である。すなわち、第２図（Ｂ）に示されるように、キャリッジレール６１３の左端近傍に設けられた掛止孔６１３Ｂにポジションレバー２１１の先端に設けられた突起２１１Ｄが係合し、キャリッジ部２００（第２図（Ｂ）には図示されない）の右方向への移動が防止される。
　なお、上記ポジションレバー２１１の位置にかかる表示または音等による告知を行うこともできる。
　すなわち、ポジションレバー２１１は上述したように本装置の操作者が手動によってその位置を変えるものであり、例えば、キャリッジ部２００がホームポジションにある場合にポジションレバー２１１が位置IIIにあるのを忘れたまま記録を行なおうとすると、ポジションレバーによる掛止を解除する旨の表示を行うようにすることもできる。
　また、ポジションレバー２１１の３つの位置に応じて、ポジションレバー２１１の現在の位置を表示するようにしてもよい。
　さらに、装置運搬時等において装置に所定以上の振動が加わった場合などにこれを検出すると同時にポジションレバーの位置を検知し、これが位置III、すなわち、キャリッジ部を固定する位置でない場合にはその旨をブザー等の音で告知するようにしてもよい。
　このキャリッジ移動防止の構成によれば、本記録装置の運搬時等にキャリッジ部２００や記録ヘッド部１が不必要に動き、これらや装置の他の部分が損傷する等の事故を防止することができる。
　第２図（Ａ）において、
２３０は装置フレームに固定されるカバーであり、キャリッジ部２００の移動に伴なってこれに追動するインク供給チューブ、フレキシブルケーブル等を保護する
　第２図（Ａ）および（Ｂ）において、９０１ＢＫ，９０１Ｃ，９０１Ｍ，９０１Ｙは、後述の
インク供給ユニット内に装着されるインクカートリッジであり、
　なお、振動吸収のために用いられる吸収体は、必ずしも上例の如くインク供給ユニットの下部に配設される必要はなく、装置騒音を低減するためのさらに有効な部位に設けられることができる。
　第３図は上述したキャリッジ本体２０１に搭載される記録ヘッド部１の詳細を示すキャリッジ部２００およびヘッド部１の断面図である。
　第３図において、１０は４色の各インクに対応して設けられる記録ヘッドチップであり、図と垂直な方向に４個設けられているため第３図の断面図には１個のみが示される。
ヘッドチップ１０は、
板状をなすＡｌよりなる基体上にＳｉよりなる基板が積層される形態で接続され、さらにＳｉ基板上には吐出に利用される熱エネルギーを発生するための電気熱変換体およびこれに電力を供給するための電極配線、さらには上記電気熱変換体を記録信号に応じて駆動するためのヘッドドライバが形成され、
この基板に、基板と共に吐出口およびこれに連通する液路、さらには液路ヘインクを供給するための共通液室を形成するための凹部を有する天板が凹部を内側にして接合されることにより、
構成される
前面の吐出口配設面に６４個の吐出口を有する
吐出口が設けられた領域に対応して開口を有する前面プレート１１が、
前面側に配設される
吐出口の各々に連通するインク液路内には上記電気熱変換体が配設され
電気熱変換体は電気パルスの印加に応じて熱を発生してインク中に膜沸騰を生じさせ、この膜沸騰による気泡の生成に基づいて吐出口からインクが吐出され
　
記録ヘッドチップ１０の装着部材の１つを構成するキャリッジカバー２０３には、記録ヘッドチップ１０の電気配線端子と電気的な接続を行なうためのコネクタ２０７が
保持されており、カバー２０３の装着の際、
にコネクタ２０７が
記録ヘッドチップ１０に接続する
記録ヘッドチップ１０の端子が、コネクタ２０７の凹部に挿入されることによって
　このとき、４つの
記録ヘッドチップ１０はキャリッジ本体２０１の所定の部位に正確に位置決めされた状態で装着され
コネクタ２０７はこれに沿うように接続する
　なお、キャリッジカバー２０３の動作は、第２図（Ａ）に示されるように、キャリッジ本体２０１に設けられた軸２２１に、キャリッジカバー２０３の一部に形成された長穴２２３が係合することにより、その動作が案内される。このキャリッジカバーによって、特に、記録ヘッドチップおよびその端子部分を保護することができる。」（３頁左下欄１０行〜７頁右上欄９行）
　
　ウ　「第４図（Ａ）〜（Ｃ）は、記録ヘッドチップ１０の装着のし方を説明するための図であり、同図（Ａ）はキャリッジ本体２０１および記録ヘッド１０の正面図、同図（Ｂ）は、キャリッジ本体２０１の側方部分断面図、同図（Ｃ）は記録ヘッドチップ１０の斜視図である。
　これら図において、
１５は記録ヘッド１０に形成されるガイド溝であり、ヘッドチップ１０の装着時に、キャリッジ本体２０１のヘッド装着部に設けられるガイド２１５と係合する
１３は記録ヘッドチップ１０内の共通液室にインクを供給するためのインク供給管であり、上記装着時に、この装着動作に伴なってキャリッジ本体２０１に設けられた供給口２１９に挿入され
サブインクタンク３００から、供給チューブ３１１、供給口２１９および供給管１３を介して共通液室へインクの供給が行われる
　記録ヘッドチップ１０のキャリッジ本体２０１への装着について第４図（Ａ）を参照して説明する。ヘッドチップ１０の装着に際して、まず、
ヘッドチップ１０のガイド溝１５がキャリッジ側のガイド２１５と係合すること
に応じてヘッドチップ１０は下方に移動され、供給管１３がキャリッジ側の供給口２１９に挿入され
ヘッドチップ１０の一部は
キャリッジ本体２０１に形成される凹部に挿入され、記録ヘッド１０の吐出方向の位置決めがなされ
　
　エ　「第５図（Ａ）〜（Ｃ）はヘッドカバー２０５の詳細を示す図であり、同図（Ａ）はヘッドカバーを裏側から視た正面図、同図（Ｂ）は側方から視た斜視図、同図（Ｃ）は上方から視た部分断面図である。
　以下、ヘッドカバー２０５によるヘッドチップ１０の位置決めについて第３図、第４図（Ａ）および第５図（Ａ）〜（Ｃ）を参照して説明する。
　第４図にて説明したように、キャリッジ本体２０１に装着された状態の
ヘッドチップ１０に対してヘッドカバー２０５が、
記録ヘッドチップ１０の側部を覆うようにキャリッジ本体２０１に装着され
によって、
ヘッドカバー２０５の板ばね２２１および２２３はその弾性力によって、ヘッドチップ１０をそれぞれ
基準面２１７および
ヘッドチップ装着部の底面２２１へ向けて押圧
　第６図はヘッドカバーによる位置決めの他の実施例を示す断面図である。
　第６図に示すように、ヘッドカバー２０５には第５図に示した板ばね２２１の代わりに、各記録ヘッドチップに対応して板ばね２２５が設けられる。板ばね２２５はヘッドカバー２０５の端部に取付けられ、カバー２０５の装着によってヘッドチップ１０の面取りした部分を押圧する。これにより、この押圧力は吐出方向および吐出口配列方向の分力を生じ、ヘッドチップ１０におけるそれぞれの方向の位置決めを行うことができる。
　第７図（Ａ）および（Ｂ）はそれぞれ第２図（Ａ）等に示したサブタンク３００の詳細を示す斜視図であり、同図（Ａ）はキャリッジ本体２０１への取付け側の面を示し、同図（Ｂ）はその反対側の面を示す。また第８図は、上記サブタンクを分解して示す部分的斜視図である。
　これら図に示すように、
サブタンク３００は
インク室
を構成するためのタンク部材３３１
中板３３３，および
接続板３３５からなる
　タンク部材３３１は各色のインクに対応して４つの室３３１ＢＫ，３３１Ｃ，３３１Ｍ，３３１Ｙを有している。
　中板３３３には、第８図にその詳細が示されるように、
タンク部材３３１の
室と接続板３３５の連結溝とを連結する連結孔
３４１
は、
接続管３２１に連結し上述したインクカートリッジ９０１から供給される
インクの流路の一部を構成し
　接続板３３５には、第７図（Ａ）に示されるように、３種類の接続管が形成される。すなわち、
符号３２１で示される接続管は上述したインクカートリッジ９０１からのインク供給チューブが接続され、
符号３２５で示される接続管は記録ヘッドチップ１０へのインク供給チューブが接続される
　さらに、上記接続管の配置は以下のようにして定められている。第４図（Ａ）および（Ｂ）に示されるように、まず、キャリッジ本体２０１に対してサブタンク３００はその長手方向が各記録ヘッドの配列方向に沿うように取付けられる。このとき、接続管３２５の各々は、対応する記録ヘッドチップ１０の下方に位置するように接続板３３５において配置される。これにより、それぞれの
接続管３２５と
記録ヘッドチップ１０を連結するインク供給チューブ３１１は
中板３３３には上述したように
接続管３２５に対応した位置に連結孔が設けられ
　接続管３２１および３２３の配置については以下のように定められる。
　まず、第１に、これら接続管に接続されるチューブが、サブインクタンク３００の長手方向、すなわち、第７図中矢印Ａで示されるキャリッジ部の移動方向に沿うように接続管の位置が定められる。第２に４色の各インクに対応したチューブが一体で接続管に接続されるように接続管の配置が定められる。以上の第１および第２の配置条件より、接続管３２３および３２５の配置は、それぞれキャリッジの移動方向に垂直な方向に配列するように定められる。
　第１０図は接続管３２１および３２３に接続するチューブユニットを示す上面図であり、
接続管３２１
に接続する
ジョイント３５１
が示される
チューブ
３５７
　以上示した接続管３２１および３２３の配置に応じて接続板３３５には第８図に示されるような溝３３７および３３９が形成され、これら接続管の各々と各タンク室３３１（ＢＫ，Ｃ，Ｍ，Ｙ）とが連結される。
　第９図はサブインクタンク３００の他の実施例を示す断面図である。同図に示すように各タンク室と接続管を連結するための溝を中板３３３に形成することもできる。」（７頁右下欄５行〜９頁右上欄１１行）
　
　オ　「加えて、上例のような
シリアルタイプのもの
　また、本発明に記録装置の構成として設けられる、記録ヘッドに対しての回復手段、予備的な補助手段等を付加することは本発明の効果を一層安定できるので、好ましいものである。これらを具体的に挙げれば、記録ヘッドに対してのキャッピング手段、クリーニング手段、加圧或は吸引手段、電気熱変換体或はこれとは別の加熱素子或はこれらの組み合わせによる予備加熱手段、記録とは別の吐出を行なう予備吐出モードを行なうことも安定した記録を行なうために有効である。
　また、
搭載される記録ヘッドの
個数についても、例えば単色のインクに対応して１個のみが設けられたもの
　さらに加えて、本発明インクジェット記録装置の形態としては、
コンピュータ等の情報処理機器の画像出力端末として用いられる
　
　カ　第１図、第２図（Ａ）及び第２図（Ｂ）の記載から、給紙トレイ６０１から排紙ローラ６０９、さらに排紙トレイ２００９に至る記録紙搬送方向と、記録ヘッド部１以下の各要素が搭載されたキャリッジ本体２０１が摺動可能に係合するガイド軸２１３及び同じくキャリッジ本体２０１が摺動可能に当接するキャリッジレール６１３とは、直交していることが見てとれ、このことから、キャリッジ本体２０１がキャリッジモータによって駆動されてガイド軸２１３に沿って移動する移動方向が記録紙搬送方向と交差する方向であることも見てとれる。
　
　ク　第３図及び第６図の記載から、装置フレームに固定されるカバー２３０により保護され、コネクタ２０７により記録ヘッド部１の記録ヘッドチップ１０の後端（前面プレート１１の反対側）の電気配線端子と電気的に接続され、キャリッジ部２００の移動に伴なってこれに追動するフレキシブルケーブルが見てとれる。
　
　ケ　タンク部材３３１の各室と接続管３２１とを接続板３３５の連結溝を介して連結するサブインクタンク３００の中板３３３に形成された連結孔３４１がインクカートリッジ９０１から供給される各インクの流路の一部を構成し、前記中板３３３の各接続管３２５に対応した位置にも連結孔が設けられているところ、第４図（Ｂ）、第７図、第８図及び第１０図の記載から、前記接続管３２５とタンク部材３３１の各室とは連通孔により直接連結されていること、前記接続管３２１に接続されるインクカートリッジ９０１からのインク供給チューブは、一端にジョイント３５１を有するチューブ３５７であること、及び、前記接続管３２５に一端が接続される記録ヘッドチップ１０へのインク供給チューブは、他端が供給口２１９に接続されているチューブ３１１であることが、それぞれ見てとれる。
　
　コ　第４図（Ａ）から、記録ヘッドチップ１０をキャリッジ本体２０１に装着する方向は、記録ヘッドチップ１０の前面側に配設された前面プレート１１の面に平行であることが見てとれる。
　
　サ　第３図から、記録ヘッドチップ１０の前面の吐出口配設面の吐出口から前面プレート１１の開口を介しプラテン６０８に密着した記録紙に向けてインクを吐出する方向は、前面プレート１１の面に垂直な方向であることが見てとれる。
　
　シ　上記アないしサからみて、引用例には、
「装置フレームと、インク供給ユニットと、記録ヘッド部と、該記録ヘッド部以下の各要素が搭載されたキャリッジ本体を有するキャリッジ部と、キャリッジ本体が摺動可能に係合するガイド軸と、キャリッジ本体が摺動可能に当接するキャリッジレールと、記録紙を載置する給紙蓋及び給紙トレイと、紙送りローラと、記録紙の腰によって記録紙が密着するプラテンと、排紙ローラと、排紙トレイとを備え、
　給紙トレイから排紙ローラさらに排紙トレイに至る記録紙搬送方向と前記ガイド軸及び前記キャリッジレールとは直交しており、
　前記キャリッジ本体の移動方向は前記記録紙搬送方向と交差する方向であり、
　前記記録ヘッドによって１ライン分記録し、前記紙送りローラにより記録の１ライン分づつ記録紙を搬送し、これによって記録紙上に文字、画像等の記録を行う、
　コンピュータ等の情報処理機器の画像出力端末として用いられるシリアルタイプのインクジェット記録装置において、
　前記インク供給ユニット内にインクカートリッジが装着され、
　前記記録ヘッド部は記録ヘッドチップを具え、
　前記キャリッジ本体の一部にはサブインクタンクが取付けられ、
　前記キャリッジ部の移動に伴なってこれに追動する第１のインク供給チューブ、フレキシブルケーブルを保護する第１のカバーが前記装置フレームに固定され
　前記記録ヘッドチップは、板状をなすＡｌよりなる基体上にＳｉよりなる基板が積層される形態で接続され、さらにＳｉ基板上には吐出に利用される熱エネルギーを発生するための電気熱変換体およびこれに電力を供給するための電極配線、さらには上記電気熱変換体を記録信号に応じて駆動するためのヘッドドライバが形成され、さらにこの基板に、基板と共に吐出口およびこれに連通する液路、さらには液路ヘインクを供給するための共通液室を形成するための凹部を有する天板が凹部を内側にして接合されることにより構成され、その前面の吐出口配設面に６４個の吐出口を有し、前面側には前記吐出口が設けられた領域に対応して開口を有する前面プレートが配設され、前記吐出口の各々に連通するインク液路内には前記電気熱変換体が配設され、
　前記電気熱変換体は、電気パルスの印加に応じて熱を発生してインク中に膜沸騰を生じさせ、この膜沸騰による気泡の生成に基づいて、前記吐出口から前記プラテンに密着している記録紙に向け、前記前面プレートの面に垂直な方向にインクを吐出させるものであり、
　前記記録ヘッドチップは、前記前面プレートの面に平行な方向に容易に着脱できるよう前記キャリッジ本体に装着され、
　前記キャリッジ本体にキャリッジカバー及びヘッドカバーが装着されることによって、前記記録ヘッドチップへの電気的接続および前記記録ヘッドチップの位置決め固定がなされ、
　記録ヘッドチップの装着部材の１つを構成する前記キャリッジカバーには、記録ヘッドチップの電気配線端子と電気的な接続を行なうためのコネクタが保持されており、該キャリッジカバーの装着の際に前記電気配線端子が前記コネクタの凹部に挿入されることによって、前記第１のカバーにより保護されて前記キャリッジ部の移動に伴なってこれに追動するフレキシブルケーブルが、前記記録ヘッドチップの後端（前面プレート１１の反対側）の電気配線端子と電気的に接続し、このとき、記録ヘッドチップはキャリッジ本体の所定の部位に正確に位置決めされた状態で装着されており、
　前記記録ヘッドチップの装着時に、前記キャリッジ本体のヘッド装着部に設けられるガイドと前記記録ヘッドチップに形成されたガイド溝とが係合するとともに、装着動作に伴なって前記キャリッジ本体に設けられた供給口に前記記録ヘッドチップ内の前記共通液室にインクを供給するためのインク供給管が挿入され、前記サブインクタンクから、第２の供給チューブ、前記供給口および前記インク供給管を介して前記共通液室へインクの供給が行われ、該装着に際して、前記記録ヘッドチップの一部は前記キャリッジ本体に形成される凹部に挿入され、前記記録ヘッドチップの吐出方向の位置決めがなされ、その後、前記記録ヘッドチップに対して前記ヘッドカバーが前記記録ヘッドチップの側部を覆うように前記キャリッジ本体に装着されることによって、該ヘッドカバーの板ばねがその弾性力によって、前記記録ヘッドチップをそれぞれ前記キャリッジ本体の基準面及びヘッドチップ装着部の底面へ向けて押圧し、記録ヘッドチップが位置決め固定され、
　前記サブインクタンクはインク室を構成するためのタンク部材、中板及び接続板からなり、該タンク部材の室と第１の接続管とを前記接続板の連結溝を介して連結する前記中板に形成された第１の連結孔が前記インクカートリッジから供給されるインクの流路の一部を構成し、前記中板の第２の接続管に対応した位置に第２の連結孔が設けられており、前記第２の接続管と前記タンク部材の室とは第２の連通孔により直接連結され、前記第１の接続管には前記インクカートリッジからの第１のインク供給チューブがその一端に有するジョイントが接続され、前記第２の接続管には前記記録ヘッドチップの前記供給口に一端が接続されている第２のインク供給チューブの他端が接続されており、
　搭載される記録ヘッドの種類ないし個数は、単色のインクに対応して１個のみが設けられたものであるインクジェット記録装置。」の発明（以下「引用発明」という。）が記載されているものと認められる。
　
３　対比
　本願補正発明と引用発明とを対比する。
（１）引用発明の「記録紙」、「キャリッジ本体」、「『記録紙搬送方向と交差する方向』である『キャリッジ本体の移動方向』」、「『インク供給ユニット』内に『装着』された『インクカートリッジ』」、「インク」、「『第１のインク供給チューブ』及び『第２のインク供給チューブ』」、「インクジェット記録装置」、「キャリッジ本体に設けられた供給口」、「インク供給管」、「『吐出口』及び『開口』」、「吐出口から前記プラテンに密着している記録紙に向け、前記前面プレートの面に垂直な方向にインクを吐出」及び「容易に着脱できるよう」は、それぞれ、本願補正発明の「被記録媒体」、「走査キャリッジ」、「『被記録媒体の搬送方向と交差する方向に移動自在な走査キャリッジ』の移動方向」、「走査キャリッジ外のインク供給源」、「インク」、「供給管」、「インクジェット記録装置」、「ジョイント部材」、「インク導入口」、「ノズル」、「ノズルからのインクの吐出」及び「接離可能」に相当する。
（２）引用発明の「記録ヘッドチップ」の「前面側」の「吐出口が設けられた領域」が、本願補正発明の「記録ヘッド部」に相当し、引用発明の「板状をなすＡｌよりなる基体上にＳｉよりなる基板が積層される形態で接続され、さらにＳｉ基板上には吐出に利用される熱エネルギーを発生するための電気熱変換体およびこれに電力を供給するための電極配線、さらには上記電気熱変換体を記録信号に応じて駆動するためのヘッドドライバが形成され、さらにこの基板に、基板と共に吐出口およびこれに連通する液路、さらには液路ヘインクを供給するための共通液室を形成するための凹部を有する天板が凹部を内側にして接合されることにより構成され」た「記録ヘッドチップ」の「液路ヘインクを供給するための共通液室を形成する部分」が本願補正発明の「記録ヘッド部へインクを供給する容器筐」に相当する。
（３）引用発明の電気熱変換体は、吐出口からプラテンに密着している記録紙に向け、前面プレートの面に垂直な方向にインクを吐出させるものであるから、引用発明の「前面プレートの面に垂直な方向」が本願補正発明の「インクの吐出方向」に相当するところ、引用発明において、記録ヘッドチップは、前面プレートの面に平行な方向に容易に着脱できるようキャリッジ本体に装着されるから、引用発明における「記録ヘッドチップのキャリッジ本体への装着方向」は「インクの吐出方向と交差する方向」であるといえる。そうすると、引用発明の「記録ヘッド部」は「記録ヘッドチップ」の前面側の一領域であるから、引用発明において、「キャリッジ本体と記録ヘッド部とは、インクの吐出方向と交差する方向に容易に着脱できるよう装着される」といえ、このことは、本願補正発明の「走査キャリッジと記録ヘッド部とを、被記録媒体に対する記録ヘッド部のノズルからのインクの吐出方向と交差する方向に沿って接離可能に構成する」こと及び「走査キャリッジに対して記録ヘッド部を着脱可能に搭載」することに相当するといえる。
（４）引用発明は、記録ヘッドチップの装着時に、装着動作に伴なってキャリッジ本体に設けられた供給口に前記記録ヘッドチップ内の共通液室にインクを供給するためのインク供給管が挿入され、サブインクタンクから、第２の供給チューブ、前記供給口および前記インク供給管を介して前記共通液室へインクの供給が行われ、前記サブインクタンクはインク室を構成するためのタンク部材、中板及び接続板からなり、該タンク部材の室と第１の接続管とを前記接続板の連結溝を介して連結する前記中板に形成された第１の連結孔が前記インクカートリッジから供給されるインクの流路の一部を構成し、前記中板の第２の接続管に対応した位置に第２の連結孔が設けられており、前記第２の接続管と前記タンク部材の室とは第２の連通孔により直接連結され、前記第１の接続管には前記インクカートリッジからの第１のインク供給チューブがその一端に有するジョイントが接続され、前記第２の接続管には前記記録ヘッドチップの前記供給口に一端が接続されている第２のインク供給チューブ（供給管）の他端が接続されているから、引用発明は、本願補正発明の「前記走査キャリッジ外のインク供給源から供給管を介して前記記録ヘッド部にインクを供給するように構成してなる」との事項を備えている。そうすると、引用発明の「ジョイント部材（供給口）」と本願補正発明の「ジョイント部材」とは、「走査キャリッジに設けられ、供給管に接続する」ものである点で一致する。
（５）引用発明において、「記録ヘッド部」は「記録ヘッドチップの前面側の吐出口が設けられた領域」であり、「記録ヘッド部へインクを供給する容器筐」は「記録ヘッドチップの液路ヘインクを供給するための共通液室を形成する部分」であり、かつ、共通液室は吐出口に連通する液路ヘインクを供給するためのものであるから、記録ヘッドチップの共通液室を形成する部分である「容器筐」は、「記録ヘッド部」の「インク吐出側とは反対側」に設けられているといえる。よって、引用発明の「容器筐」と本願補正発明の「容器筐」とは「記録ヘッド部のインク吐出側とは反対側に設け」られている点で一致する。
（６）引用発明において、記録ヘッドチップの装着時に、装着動作に伴なってキャリッジ本体に設けられた供給口に前記記録ヘッドチップ内の共通液室にインクを供給するためのインク供給管（インク導入口）が挿入され、サブインクタンクから、第２の供給チューブ、前記供給口および前記インク供給管を介して前記共通液室へインクの供給が行われるから、引用発明は、本願補正発明の「前記接離方向に沿って前記容器筐におけるインク導入口と前記ジョイント部材のインク吐出口とを接離可能に接続し」との事項を備えている。
（７）引用発明において、「記録ヘッドチップ」は、「板状をなすＡｌよりなる基体上にＳｉよりなる基板が積層される形態で接続され、さらにＳｉ基板上には吐出に利用される熱エネルギーを発生するための電気熱変換体およびこれに電力を供給するための電極配線、さらには上記電気熱変換体を記録信号に応じて駆動するためのヘッドドライバが形成され」たものであり、「フレキシブルケーブル」は、「キャリッジカバーの装着の際に前記電気配線端子が前記コネクタの凹部に挿入されることによって、前記記録ヘッドチップの後端（前面プレート１１の反対側）の電気配線端子と電気的に接続」したものであり、かつ、「インクジェット記録装置」は、「記録紙上に文字、画像等の記録を行う、コンピュータ等の情報処理機器の画像出力端末として用いられるシリアルタイプ」のものであるところ、「記録ヘッドチップの後端（前面プレート１１の反対側）」は本願補正発明でいうところの「容器筐の前記記録ヘッド部とは反対側」であり、文字、画像等を記録するための「指令及び画像データ」がキャリッジ本体外にある「コンピュータ等の情報処理機器」から「フレキシブルケーブル」を介して伝送されることが当業者に自明であり、かつ、「記録ヘッドチップの後端（前面プレート１１の反対側）」の基板上に「電気配線端子、電極配線及びヘッドドライバ」の少なくとも一部の回路が形成されていることも当業者に自明であるから、引用発明のこれらのことと本願補正発明の「前記容器筐の前記記録ヘッド部とは反対側に、前記記録ヘッド部と接続される印刷回路基板を設け、その印刷回路基板には、前記走査キャリッジ外から指令及び画像データを伝送するケーブルを着脱可能に接続し」た事項とは「前記容器筐の前記記録ヘッド部とは反対側に、前記記録ヘッド部と接続される回路を設け、その回路には、前記走査キャリッジ外から指令及び画像データを伝送するケーブルを着脱可能に接続し」た点で一致するといえる。
（８）引用発明の「記録ヘッド部」、「容器筐」及び「回路」は、いずれも「板状をなすＡｌよりなる基体上にＳｉよりなる基板が積層される形態で接続され、さらにＳｉ基板に、天板が接合されることにより構成され、前面側には前面プレートが配設された記録ヘッドチップ」に設けられているから、「１つの筐体に設け」られているといえ、このことと本願補正発明の「前記記録ヘッド部、容器筐及び印刷回路基板を、１つの筐体に設け」た事項とは「前記記録ヘッド部、容器筐及び回路を、１つの筐体に設け」た点で一致する。
（９）引用発明の「ヘッド装着部に設けられるガイド」や「キャリッジ本体に形成される凹部」は本願補正発明の「支持部」に相当し、引用発明の「ヘッドカバー」は本願補正発明の「係合手段」に相当する。そうすると、引用発明における、「記録ヘッドチップが、前面プレートの面に平行な方向に容易に着脱できるようキャリッジ本体に装着され」る「記録ヘッドチップの装着時」に、「前記キャリッジ本体のヘッド装着部に設けられるガイドと前記記録ヘッドチップに形成されたガイド溝とが係合するとともに、装着動作に伴なって前記キャリッジ本体に設けられた供給口に前記記録ヘッドチップ内の前記共通液室にインクを供給するためのインク供給管が挿入され、前記サブインクタンクから、第２の供給チューブ、前記供給口および前記インク供給管を介して前記共通液室へインクの供給が行われ、該装着に際して、前記記録ヘッドチップの一部は前記キャリッジ本体に形成される凹部に挿入され、前記記録ヘッドチップの吐出方向の位置決め」がなされ、その後、前記記録ヘッドチップに対して前記ヘッドカバーが前記記録ヘッドチップの側部を覆うように前記キャリッジ本体に装着されることによって、「該ヘッドカバーの板ばねがその弾性力によって、前記記録ヘッドチップをそれぞれ前記キャリッジ本体の基準面及びヘッドチップ装着部の底面へ向けて押圧し、記録ヘッドチップが位置決め固定され」ることと本願補正発明の「前記走査キャリッジには、前記筐体をそのノズルの配置面と略平行の方向に前記ジョイント部材に接近案内するための一対の支持部を備え、前記筐体を前記走査キャリッジに、弾力的付勢力をもって、前記容器筐におけるインク導入口と前記ジョイント部材のインク吐出口とを密接できるように係合手段により固定した」こととは、「前記走査キャリッジには、前記筐体をそのノズルの配置面と略平行の方向に前記ジョイント部材に接近案内するための支持部を備え、前記筐体を前記走査キャリッジに、弾力的付勢力をもって、前記容器筐におけるインク導入口と前記ジョイント部材のインク吐出口とを密接できるように係合手段により固定した」点で一致する。
（１０）上記（１）ないし（９）からみて、本願補正発明と引用発明とは、
「被記録媒体の搬送方向と交差する方向に移動自在な走査キャリッジに対して記録ヘッド部を着脱可能に搭載し、前記走査キャリッジ外のインク供給源から供給管を介して前記記録ヘッド部にインクを供給するように構成してなるインクジェット記録装置において、
　前記走査キャリッジには、前記供給管に接続するジョイント部材を設け、
　前記記録ヘッド部にはそのインク吐出側とは反対側に、その記録ヘッド部へインクを供給する容器筐を設け、
　前記走査キャリッジと記録ヘッド部とを、前記被記録媒体に対する記録ヘッド部のノズルからのインクの吐出方向と交差する方向に沿って接離可能に構成すると共に、前記接離方向に沿って前記容器筐におけるインク導入口と前記ジョイント部材のインク吐出口とを接離可能に接続し、
　前記容器筐の前記記録ヘッド部とは反対側に、前記記録ヘッド部と接続される回路を設け、その回路には、前記走査キャリッジ外から指令及び画像データを伝送するケーブルを着脱可能に接続し、
　前記記録ヘッド部、容器筐及び回路を、１つの筐体に設け、
　前記走査キャリッジには、前記筐体をそのノズルの配置面と略平行の方向に前記ジョイント部材に接近案内するための支持部を備え、
　前記筐体を前記走査キャリッジに、弾力的付勢力をもって、前記容器筐におけるインク導入口と前記ジョイント部材のインク吐出口とを密接できるように係合手段により固定したインクジェット記録装置。」である点で一致し、次の点で相違する。
　
相違点１：
　前記回路が、本願補正発明では「印刷回路基板」であるのに対して、引用発明ではそのような基板かどうか不明である点。
　
相違点２：
　前記支持部が、本願補正発明では「一対」であるのに対して、引用発明では一対といえるものかどうか明らかでない点。
　
４　判断
　上記相違点１及び２について検討する。
（１）相違点１について
　印刷回路基板を設けたインクジェット用ヘッドは周知であるから（例．特開平７−３２６０９公報（【０００３】、図４及び図５参照。）、特開平１１−２９１４６５公報（【０００２】、【００２１】及び図１参照。）。以下「周知技術」という。）、引用発明において、記録ヘッドチップを印刷回路基板を設けたものとして、上記相違点１に係る本願補正発明の構成となすことは、当業者が、周知技術に基づいて容易になし得た程度のことである。
　
（２）相違点２について
　引用発明において「支持部」の数をいくつにするかは当業者が適宜決定すべき事項であるというべきところ、引用発明において、記録ヘッドチップの一部はキャリッジ本体に形成される凹部に挿入されて、前記記録ヘッドチップの吐出方向の位置決めがなされるものであるから、前記凹部の両側で、該凹部に挿入される記録ヘッドチップの一部を「ジョイント部材（キャリッジ本体に設けられた供給口）」に接近案内するように、前記凹部の両側に１つずつの「支持部」を設け、すなわち「支持部」を「一対の」ものとし、上記相違点２に係る本願補正発明の構成となすことは、当業者が、適宜なし得た程度の設計上の事項である。
　
（３）効果について
　本願補正発明の奏する効果は、引用発明の奏する効果及び周知技術の奏する効果から当業者が予測できた程度のものである。
　
（４）まとめ
　したがって、本願補正発明は、当業者が、引用例に記載された発明に基づいて容易に発明をすることができたものである。
　よって、本願補正発明は、特許法第２９条第２項の規定により、特許出願の際独立して特許を受けることができないものである。
　
５　小括
　上記４のとおり、本願補正発明は特許出願の際独立して特許を受けることができないものであるから、上記１（１）アの本件補正後の請求項１に係る補正内容は、旧特許法第１７条の２第５項において準用する同法第１２６条第５項の規定に違反するものである。
　よって、本件補正は、同法第１５９条第１項において読み替えて準用する同法第５３条第１項の規定により却下すべきものである。
　
第３　本願発明について
１　本願発明
　本件補正は上記のとおり却下されたので、本願の請求項に係る発明は、平成１８年１０月１２日付け手続補正によって補正された明細書及び図面の記載からみて、その特許請求の範囲の請求項１ないし６に記載された事項によって特定されるとおりのものであると認められるところ、請求項１ないし３に係る発明（以下「本願発明１」ないし「本願発明３」という。）は、上記「第２〔理由〕１（１）ア」で、本件補正前の請求項１ないし３として記載したものである。
　
２　引用例
　原査定の拒絶の理由に引用された引用例及びその記載事項は、前記「第２〔理由〕２」に記載したとおりである。
　
３　対比・判断　
　本願補正発明は、上記「第２〔理由〕１（２）」で述べたように、本願発明３を減縮したものに相当するところ、本願発明３は本願発明１及び本願発明２をそれぞれ限定したものに相当するから、本願補正発明は、本願発明１を減縮したものにも相当し、かつ、本願発明２を減縮したものにも相当する。
　そうすると、本願発明１、２及び３の構成要件をすべて含み、さらに限定を付加したものに相当する本願補正発明が、前記「第２〔理由〕４」に記載したとおり、当業者が、引用例に記載された発明に基づいて容易に発明をすることができたものであるから、本願発明１、２及び３も同様の理由により、当業者が、引用例に記載された発明に基づいて容易に発明をすることができたものである。
　
４　むすび 
　以上のとおり、本願発明１、２及び３は、当業者が、引用例に記載された発明に基づいて容易に発明をすることができたものであるから、特許法第２９条第２項の規定により特許を受けることができない。
　よって、結論のとおり審決する。